(57)【要約】【課題】施設において人物の情報を容易かつ正確に伝達する。【解決手段】本発明の情報処理システムは、ネットワークに接続された、ユーザが着用するウェアラブル端末と、施設内で使用される情報処理端末と、管理サーバと、を備える。そして、ウェアラブル端末は、着用しているユーザの生体情報を取得する生体情報取得手段と、取得した生体情報を含むユーザの情報を管理サーバに送信する通信手段と、を備え、情報処理端末は、入力されたユーザの情報を管理サーバに送信する情報登録手段と、管理サーバから記憶されているユーザの情報を取得する情報取得手段と、を備え、管理サーバは、ウェアラブル端末及び情報処理端末から送信されたユーザの情報をユーザ毎にまとめて記憶すると共に、情報処理端末に対して記憶しているユーザの情報を送信する管理手段を備える。【選択図】図１
2019191998.tif 000002
【特許請求の範囲】
【請求項１】
ネットワークに接続された、ユーザが着用するウェアラブル端末と、所定の施設内で使用される情報処理端末と、管理サーバと、を備え、
前記ウェアラブル端末は、当該ウェアラブル端末を着用しているユーザの生体情報を取得する生体情報取得手段と、取得した前記生体情報を含むユーザの情報を前記管理サーバに送信する通信手段と、を備え、
前記情報処理端末は、入力されたユーザの情報を前記管理サーバに送信する情報登録手段と、前記管理サーバから当該管理サーバに記憶されているユーザの情報を取得する情報取得手段と、を備え、
前記管理サーバは、前記ウェアラブル端末及び前記情報処理端末から送信されたユーザの情報をユーザ毎にまとめて記憶すると共に、前記情報処理端末に対して記憶しているユーザの情報を送信する管理手段を備えた、
情報処理システム。
【請求項２】
請求項１に記載の情報処理システムであって、
前記管理サーバの前記管理手段は、当該管理サーバに記憶されているユーザの情報を前記ウェアラブル端末に対して送信し、
前記ウェアラブル端末の前記通信手段は、前記管理サーバから自端末である前記ウェアラブル端末を着用しているユーザの情報を取得して自端末に記憶する、
情報処理システム。
【請求項３】
請求項１又は２に記載の情報処理システムであって、
前記情報処理端末の前記情報登録手段は、当該情報処理端末に記憶されているユーザの情報を前記ウェアラブル端末に対して送信し、
前記ウェアラブル端末の前記通信手段は、前記情報処理端末から自端末である前記ウェアラブル端末を着用しているユーザの情報を取得して自端末に記憶する、
情報処理システム。
【請求項４】
請求項１乃至３のいずれかに記載の情報処理システムであって、
前記ウェアラブル端末の前記通信手段は、当該ウェアラブル端末に記憶されているユーザの情報を前記情報処理端末に対して送信し、
前記情報処理端末の前記情報取得手段は、前記ウェアラブル端末からユーザの情報を取得して記憶する、
情報処理システム。
【請求項５】
請求項４に記載の情報処理システムであって、
前記ウェアラブル端末の前記通信手段は、当該ウェアラブル端末に記憶されているユーザの情報を、前記情報処理端末が使用される施設内で近距離無線通信を介して当該情報処理端末に対して送信する、
情報処理システム。
【発明の詳細な説明】
【技術分野】
【０００１】
本発明は、ウェアラブル端末を備えた情報処理システムに関する。
【背景技術】
【０００２】
通常、病院では、患者の情報、特に、既往歴や服薬などの情報を、カルテに記録して管理している。このため、病院が新規の患者を受け入れる際には、かかる患者の情報を新たにカルテに記入する必要がある。すると、患者の情報をカルテに記録する手間がかかる、という問題が生じる。また、患者が自身の既往歴などの情報を正確に伝えることができるか不明であり、情報が正確に記録されない、という問題が生じる。
【０００３】
上記の問題にも伴い、患者が複数の医療機関に通っている場合であっても、全ての病院で患者の情報を共有することができないため、それらを容易に共有する仕組みが望まれている。特に、近年では、在宅診療や介護も増加しており、在宅時の様子や、血圧、心拍数などの日常の健康状態も、病院の医療従事者や介護者などで把握することが必要となる。
【０００４】
ここで、特許文献１では、医療従事者間で患者の情報を共有するシステムを開示している。かかるシステムでは、患者の情報を管理する複数のアプリケーション間において、容易に情報のコピーを行うことが記載されている。
【先行技術文献】
【特許文献】
【０００５】
【特許文献１】特開２０１８−３２４４６号公報
【発明の概要】
【発明が解決しようとする課題】
【０００６】
しかしながら、上述した特許文献１の技術では、事前に所定のアプリケーションに入力された情報を対象としており、そもそも所定のアプリケーションへの情報の入力に手間がかかる、という問題がある。特に、在宅時における健康情報を患者が自ら入力しなければならない状況においては、患者の手間が増大し、正確性も問題となる。そして、かかる問題は、病院や介護施設などのあらゆる施設で、あらゆる人物の情報を共有する必要がある場合にも生じうる。
【０００７】
このため、本発明の目的は、上述した課題である、施設において人物の情報を容易かつ正確に伝達することができる情報処理システムを提供することにある。
【課題を解決するための手段】
【０００８】
本発明の一形態である情報処理システムは、
ネットワークに接続された、ユーザが着用するウェアラブル端末と、所定の施設内で使用される情報処理端末と、管理サーバと、を備え、
前記ウェアラブル端末は、当該ウェアラブル端末を着用しているユーザの生体情報を取得する生体情報取得手段と、取得した前記生体情報を含むユーザの情報を前記管理サーバに送信する通信手段と、を備え、
前記情報処理端末は、入力されたユーザの情報を前記管理サーバに送信する情報登録手段と、前記管理サーバから当該管理サーバに記憶されているユーザの情報を取得する情報取得手段と、を備え、
前記管理サーバは、前記ウェアラブル端末及び前記情報処理端末から送信されたユーザの情報をユーザ毎にまとめて記憶すると共に、前記情報処理端末に対して記憶しているユーザの情報を送信する管理手段を備えた、
という構成をとる。
【０００９】
また、上記情報処理システムでは、
前記管理サーバの前記管理手段は、当該管理サーバに記憶されているユーザの情報を前記ウェアラブル端末に対して送信し、
前記ウェアラブル端末の前記通信手段は、前記管理サーバから自端末である前記ウェアラブル端末を着用しているユーザの情報を取得して自端末に記憶する、
という構成をとる。
【００１０】
また、上記情報処理システムでは、
前記情報処理端末の前記情報登録手段は、当該情報処理端末に記憶されているユーザの情報を前記ウェアラブル端末に対して送信し、
前記ウェアラブル端末の前記通信手段は、前記情報処理端末から自端末である前記ウェアラブル端末を着用しているユーザの情報を取得して自端末に記憶する、
という構成をとる。
【００１１】
また、上記情報処理システムでは、
前記ウェアラブル端末の前記通信手段は、当該ウェアラブル端末に記憶されているユーザの情報を前記情報処理端末に対して送信し、
前記情報処理端末の前記情報取得手段は、前記ウェアラブル端末からユーザの情報を取得して記憶する、
という構成をとる。
【００１２】
また、上記情報処理システムでは、
前記ウェアラブル端末の前記通信手段は、当該ウェアラブル端末に記憶されているユーザの情報を、前記情報処理端末が使用される施設内で近距離無線通信を介して当該情報処理端末に対して送信する、
という構成をとる。
【発明の効果】
【００１３】
本発明は、以上のように構成されることにより、管理サーバを介して、あるいは、ウェアラブル端末と情報処理端末との間で、ユーザの生体情報を含む情報を相互に伝達することができる。このため、情報処理端末が設置された施設において、人物の情報を容易かつ正確に取得することができる。
【図面の簡単な説明】
【００１４】
【図１】本発明の実施形態１における情報処理システムの構成を示す概略図である。
【図２】図１に開示した情報処理システムの構成を示すブロック図である。
【図３】図１に開示した情報処理システムの動作を示すシーケンス図である。
【図４】図１に開示した情報処理システムの構成を示す概略図である。
【図５】図４に開示した情報処理システムの動作を示すシーケンス図である。
【発明を実施するための形態】
【００１５】
＜実施形態１＞
本発明の第１の実施形態を、図１乃至図５を参照して説明する。図１，２，４は、情報処理システムの構成を説明するための図である。図３，５は、情報処理システムの動作を説明するための図である。以下、各図を参照して、情報処理システムの構成及び動作を説明する。
【００１６】
［構成］
本発明における情報処理システムは、病院の患者や介護施設における被介護者である人物、さらには、これらになる可能性がある人物、の情報を共有するための情報処理システムである。情報処理システムは、図１に示すように、人物Ｕが着用するウェアラブル端末１０と、自宅端末２０と、病院内端末４０と、薬局内端末５０と、施設内端末６０と、管理サーバ３０と、を備えて構成されている。なお、自宅端末２０、病院内端末４０、薬局内端末５０、施設内端末６０は、必ずしも各場所に設置された端末であることに限定されず、スマートフォンやタブレット端末などの移動端末で構成されてもよく、各場所で使用可能であればよい。但し、情報処理システムを構成する構成は、必ずしも上述した端末やサーバに限定されず、他の情報処理装置を備えていてもよい。
【００１７】
上記ウェアラブル端末１０は、本実施形態では、人物Ｕが腕に巻くいわゆる腕時計型の情報処理端末である。ウェアラブル端末１０は、人物Ｕとの接触面に当該人物Ｕの血圧や心拍数、体温などの生体情報を計測可能な各種センサを搭載している。また、ウェアラブル端末１０は、BluetoothやWiFiなどによる近距離無線通信を行ったり、携帯電話網で通信を行う通信装置を備えている。なお、本発明においては、ウェアラブル端末１０は腕時計型であることに限定されず、ユーザＵのいかなる部位に装着される端末であってもよい。
【００１８】
ウェアラブル端末１０は、演算装置及び記憶装置を備えている。そして、ウェアラブル端末１０は、図２に示すように、演算装置がプログラムを実行することで構築された、生体情報取得部１１と、通信部１２と、を備えている。また、ウェアラブル端末１０は、記憶装置に形成されたユーザ情報記憶部１５を備えている。
【００１９】
上記生体情報取得部１１（生体情報取得手段）は、上述したようにウェアラブル端末１０に搭載されている各種センサにて計測したユーザＵの生体情報を取得して、ユーザ情報記憶部１５に記憶する。このとき、生体情報取得部１１は、取得した日時情報と合わせて生体情報を記憶しておく。なお、各種センサや生体情報取得部１１で取得する生体情報は、上述した血圧や心拍数、体温などに限定されず、歩数や運動時間などの活動量など、ユーザＵの身体に関する情報であればいかなる情報であってもよい。
【００２０】
上記通信部１２（通信手段）は、ユーザ情報記憶部１５に記憶されたユーザＵの生体情報（ユーザの情報）を、通信装置を介して、管理サーバ３０や病院内端末４０などの他の端末５０，６０に送信する機能を有する。このとき、通信部１２は、ユーザＵの生体情報に、ユーザＵを識別する識別情報を関連付けて、管理サーバ３０や病院内端末４０等に送信する。
【００２１】
なお、通信部１２は、管理サーバ３０に対しては、例えば、ユーザＵの自宅Ｒ１に設置されたアクセスポイント２０ａを介して無線通信にて自宅端末２０と接続し、当該自宅端末２０を介してネットワークを通じて管理サーバ３０に情報を送信する。但し、通信部１２は、ウェアラブル端末１０が携帯電話網で通信を行う通信装置を装備している場合には、携帯電話網を通じて管理サーバ３０に情報を送信してもよい。また、通信部１２は、上記のように接続した管理サーバ３０を介して、病院内端末４０等に情報送信してもよい。さらには、通信部１２は、例えば、ユーザＵが病院Ｒ２内に位置する状態で、当該病院Ｒ２に設置されたアクセスポイント４０ａと近距離無線通信を行い、当該アクセスポイント４０ａを介して病院内端末４０に情報を送信してもよい。
【００２２】
また、上記通信部１２は、当該通信部１２を装備しているウェアラブル端末１０を装着しているユーザＵの情報を、他の情報処理装置から取得して、ユーザ情報記憶部１５に記憶する機能も有する。このとき、通信部１２は、他の情報処理装置に対して、ユーザＵの識別情報と共に情報を要求することで、当該ユーザＵ自身の情報を取得することができる。
【００２３】
例えば、通信部１２は、自宅端末２０に対してユーザ自身やユーザの介護者などから入力されたユーザＵの健康状態を表す健康情報を、自宅端末２０から取得して記憶する。また、例えば、通信部１２は、病院内端末４０に対して医師や看護師などから入力されたユーザＵの病状や既往歴などの健康情報を、病院内端末４０から取得して記憶する。また、例えば、通信部１２は、薬局内端末５０に対して薬剤師などから入力されたユーザＵの服薬などの健康情報や、施設内端末６０にて介護者などから入力されたユーザＵの介護状況などの健康情報を、各端末５０，６０から取得して記憶する。さらには、通信部１２は、管理サーバ３０に蓄積されているユーザＵの情報を、当該管理サーバ３０から取得して記憶する。
【００２４】
なお、通信部１２は、上述したように他の情報処理装置からユーザＵの情報を取得する際には、各情報処理装置が設置されている場所のアクセスポイント２０ａ，４０ａ等を介して近距離無線通信にて取得してもよく、インターネットなどのネットワークを介して取得してもよい。
【００２５】
以上のように、ウェアラブル端末１０は、生体情報取得部１１で取得されたユーザＵの生体情報や、他の情報処理装置２０，３０，４０等から取得したユーザＵの健康情報といった情報を、ユーザ情報記憶部１５に記憶することができる。また、ウェアラブル端末１０は、管理サーバ３０や病院内端末４０などの他の情報処理装置に対して、ユーザ情報記憶部１５に記憶しているユーザＵの情報を送信することができる。
【００２６】
上記病院内端末４０は、例えば、病院Ｒ２に設置された演算装置及び記憶装置を備えた情報処理装置である。但し、病院内端末４０は、必ずしも病院Ｒ２内に設置されていることに限定されず、他の場所に設置されていてもよく、あるいは、移動可能であってもよい。そして、病院内端末４０は、図２に示すように、演算装置がプログラムを実行することで構築された、情報登録部４１と、情報取得部４２と、通信部４３と、を備えている。また、病院内端末４０は、記憶装置に形成されたユーザ情報記憶部４５を備えている。なお、病院内端末４０は、インターネット等のネットワークを介して管理サーバ３０と接続されていたり、また、病院Ｒ２内で近距離無線通信を行うアクセスポイント４０ａに接続されている。
【００２７】
上記情報登録部４１（情報登録手段）は、医師などから入力されたユーザＵの病状、処置、既往歴などの健康情報を含む情報を、ユーザＵの識別情報に関連付けて、ユーザ情報記憶部４５に記憶する。そして、情報登録部４１は、ユーザ情報記憶部４５に記憶されているユーザＵの情報を、関連付けられている識別情報と共に管理サーバ３０に送信する。このとき、情報登録部４１は、後述するように、過去にユーザＵのウェアラブル端末１０や管理サーバ３０から取得したユーザＵの生体情報や健康情報を含む情報を取得してユーザ情報記憶部４５に記憶している場合には、かかる情報も管理サーバ３０に送信する。また、情報登録部４１は、病院Ｒ２内のアクセスポイント４０ａを介して、近距離無線通信にて、ユーザＵが装着しているウェアラブル端末１０に対して、ユーザ情報記憶部４５に記憶しているユーザＵの情報を送信する機能も有する。
【００２８】
ここで、上記病院内端末４０は、体温計、血圧計、パルスオキシメーターなどの人物の生体情報を計測する機器に接続された端末、あるいは、機器自体であってもよい。この場合、病院内端末４０の情報登録部４１は、上述したように、計測されたユーザＵの生体情報を管理サーバ３０やウェアラブル端末１０に送信する機能を有する。なお、上述した自宅端末３０や他の端末５０，６０も同様に、生体情報を計測する機器に接続された端末、あるいは、機器自体であってもよい。
【００２９】
上記情報取得部４２（情報取得手段）は、管理サーバ３０から当該管理サーバ３０に記憶されているユーザＵの情報を取得してユーザ情報記憶部４５に記憶する。また、情報取得部４２は、ユーザＵが病院Ｒ２に位置する状態で、当該ユーザＵのウェアラブル端末１０から、病院Ｒ２に設置されたアクセスポイント４０ａを介してユーザＵの情報を取得してユーザ情報記憶部４５に記憶する。
【００３０】
以上のように、病院内端末４０は、管理サーバ３０やユーザＵのウェアラブル端末１０から、ユーザＵの生体情報や健康情報といった情報を取得することができる。また、病院内端末４０は、病院Ｒ２内の医師などによって入力されたユーザＵの情報やユーザＵから計測した情報を、管理サーバ３０やユーザＵのウェアラブル端末１０に送信することができる。
【００３１】
なお、上述した病院内端末４０が装備する機能は、薬局Ｒ３に設置された薬局内端末５０や、介護施設Ｒ４に設置された施設内端末６０も装備している。つまり、各端末５０，６０は、管理サーバ３０やユーザＵのウェアラブル端末１０から、ユーザＵの生体情報や健康情報といった情報を取得することができ、また、入力されたユーザＵの情報を、管理サーバ３０やユーザＵのウェアラブル端末１０に送信することができる。
【００３２】
上記管理サーバ３０は、演算装置及び記憶装置を備えた情報処理装置である。そして、管理サーバ３０は、図２に示すように、演算装置がプログラムを実行することで構築された、管理部３１と、通信部３２と、を備えている。また、管理サーバ３０は、記憶装置に形成されたユーザ情報記憶部３５を備えている。なお、管理サーバ３０は、インターネット等のネットワークを介して、自宅端末２０や病院内端末４０等の端末に接続されており、さらには、ウェアラブル端末１０と直接的にあるいは自宅端末２０を介して接続されている。
【００３３】
上記管理部３１（管理手段）は、自宅端末２０やウェアラブル端末１０から送信されたユーザＵの生体情報や健康情報を含む情報を取得して、ユーザ情報記憶部３５に記憶する。また、管理部３１は、病院内端末４０等の他の情報処理装置から送信されたユーザＵの生体情報や健康情報を含む情報を取得して、ユーザ情報記憶部３５に記憶する。このとき、管理部３１は、取得されたユーザＵの情報を、関連付けられている識別情報に基づいてユーザ毎にまとめて記憶する。
【００３４】
また、管理部３１は、病院内端末４０等の他の情報処理装置からの要求に応じて、ユーザＵの情報をユーザ情報記憶部３５から読み出して、病院内端末４０等に送信する。また、管理部３１は、自宅端末２０やウェアラブル端末１０からの要求に応じて、ユーザＵの情報をユーザ情報記憶部３５から読み出して、自宅端末２０やウェアラブル端末１０に送信する。このとき、管理部３１は、要求時に通知されるユーザＵの識別情報に関連付けられている情報を要求元に送信する。
【００３５】
以上のように、管理サーバ３０は、自宅端末２０やウェアラブル端末１０からユーザＵの情報を取得したり、病院内端末４０等からユーザＵの情報を取得して記憶している。そして、記憶しているユーザＵの情報を、病院内端末４０等に送信したり、ウェアラブル端末１０に送信することができる。
【００３６】
［動作］
次に、上述した情報処理システムの動作を説明する。まず、主に図１及び図３のシーケンス図を参照して説明する。
【００３７】
図１に示すように、例えばユーザＵが自宅Ｒ１に位置する際には、当該ユーザＵに装着されているウェアラブル端末１０は、ユーザＵの生体情報を取得して記憶する（ステップＳ１，Ｓ２）。そして、所定の時間間隔毎や任意のタイミングで、ウェアラブル端末１０は、自宅端末２０を介して、記憶しているユーザＵの生体情報をユーザＵの識別情報と共に、管理サーバ３０に送信する（ステップＳ３）。なお、ウェアラブル端末１０は、自宅端末２０に入力されたユーザＵの健康情報を取得して記憶している場合には、生体情報と健康情報を含むユーザＵの情報を管理サーバ３０に送信する。
【００３８】
そして、ウェアラブル端末１０からユーザＵの情報を取得した管理サーバ３０は、ユーザＵの識別情報に基づいてユーザ毎に生体情報や健康情報を含む情報を記憶して管理する（ステップＳ４）。
【００３９】
その後、図３の例では、ユーザＵがテレビ電話等を利用して遠隔にて病院Ｒ２における診察を受けようとすることとする。この場合には、病院Ｒ２の医師等は、病院内端末４０から管理サーバ３０に対して、ユーザＵの識別情報を用いて当該ユーザＵの情報を要求する。すると、管理サーバ３０は、要求時に通知された識別情報に基づいて、要求されたユーザＵの情報を記憶装置から読み出し、病院内端末４０に対して送信する（ステップＳ５）。
【００４０】
病院内端末４０は、ユーザＵの情報を取得すると（ステップＳ６）、かかる情報を表示装置に表示する（ステップＳ７）。これにより、病院Ｒ２の医師がユーザＵの生体情報や健康情報といった情報を閲覧することができ、診察に利用することができる。その後、医師等がユーザＵに対する診察結果（病状や既往歴など）を病院内端末４０に対して入力すると（ステップＳ８）、病院内端末４０は、かかる情報をユーザＵの情報に含めて記憶すると共に、当該ユーザＵの識別情報と関連付けて管理サーバ３０に送信する（ステップＳ９）。
【００４１】
管理サーバ３０は、病院内端末４０からユーザＵの情報を取得すると、ユーザＵの識別情報に基づいてユーザ毎に生体情報や健康情報を含む情報を記憶して管理する（ステップＳ１０）。さらに、管理サーバ３０は、記憶したユーザＵの情報を、当該ユーザＵのウェアラブル端末１０に対して送信してもよい（ステップＳ１１）。これにより、ウェアラブル端末１０には、病院Ｒ２での診察結果等の情報が記憶される（ステップＳ１２）。
【００４２】
以上の例によると、まず、ウェアラブル端末１０から管理サーバ３０を介して病院内端末４０に対してユーザＵの生体情報などの情報を容易かつ正確に提供することができ、診察に利用することができる。また、病院Ｒ２におけるユーザＵの診察結果も含めて管理サーバ３０やウェアラブル端末１０に記憶することができ、その後、さらに施設に提供してユーザＵの情報を容易かつ正確に共有することができる。
【００４３】
なお、上記例における病院内端末４０を薬局Ｒ３の薬局内端末５０や介護施設Ｒ４の施設内端末６０に代えてもよい。これにより、ユーザＵの生体情報などの情報を薬局内端末５０や施設内端末６０に提供して、薬の処方や介護に利用することができる。また、ユーザＵに対する服薬や介護状況などの情報を管理サーバ３０やウェアラブル端末１０に蓄積することができ、さらにユーザＵの情報を様々な施設に提供することができる。
【００４４】
次に、図４に示すように、ユーザＵが病院Ｒ２を訪れたり搬送されたときの動作を、図５のシーケンス図を参照して説明する。ここでは、上述した図３の動作例のように、ユーザＵのウェアラブル端末１０に、これまでの生体情報や健康情報などの情報が蓄積されていることとする。
【００４５】
ユーザＵのウェアラブル端末１０は、病院Ｒ２内においてアクセスポイント４０ａを介した近距離無線通信にて病院内端末４０と接続し、記憶しているユーザＵの情報を、識別情報に関連付けて病院内端末４０に対して送信する（ステップＳ２１）。病院内端末４０は、ウェアラブル端末１０からユーザＵの情報を取得すると（ステップＳ２２）、かかる情報を表示装置に表示する（ステップＳ２３）。これにより、病院Ｒ２の医師がユーザＵの生体情報や健康情報といった情報を閲覧することができ、診察に利用することができる。例えば、ユーザＵが事故などで病院に搬送され、自身の身元や情報を伝えることができない状況であっても、ウェアラブル端末１０からの情報で既往歴や投薬の情報、生体情報などを得ることができ、治療に役立てることができる。
【００４６】
なお、病院内端末４０は、ウェアラブル端末１０から取得したユーザＵの識別情報を用いて、管理サーバ３０に対してかかるユーザＵの情報を要求し、取得してもよい。
【００４７】
その後は、図３の例と同様に、医師等がユーザＵに対する診察結果を病院内端末４０に対して入力すると（ステップＳ２４）、病院内端末４０は、かかる情報をユーザＵの情報に含めて記憶すると共に、当該ユーザＵの識別情報と関連付けて管理サーバ３０に送信する（ステップＳ２５）。このとき、病院内端末４０は、近距離無線通信にて、ユーザＵの情報を、当該ユーザＵのウェアラブル端末１０に対して送信してもよい（ステップＳ２５）。これにより、管理サーバ３０は、病院内端末４０から取得したユーザＵの情報を記憶して管理する（ステップＳ２６）。また、ウェアラブル端末１０も、病院内端末４０から取得したユーザＵの情報を記憶する（ステップＳ２７）。
【００４８】
以上の例によると、ユーザＵは、自己の最新の情報を病院Ｒ２などの施設に容易に提供することができる。また、管理サーバ３０においてもユーザＵの最新の情報を管理することができ、必要に応じて施設に提供することができる。
【００４９】
なお、上記例における病院内端末４０を薬局Ｒ３の薬局内端末５０や介護施設Ｒ４の施設内端末６０に代えてもよい。これにより、ユーザＵが各施設を訪れた際に、ユーザＵの生体情報や健康情報を、身につけているウェアラブル端末１０から各施設に容易に提供することができる。また、それぞれの施設で追加されたユーザＵの情報を、ウェアラブル端末１０に記憶したり、管理サーバ３０で管理することができ、その後もユーザＵの情報の共有が容易となる。
【００５０】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【００５１】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００５２】
１０  ウェアラブル端末
１１  生体情報取得部
１２  通信部
１５  ユーザ情報記憶部
２０  自宅端末
３０  管理サーバ
３１  管理部
３２  通信部
３５  ユーザ情報記憶部
４０  病院内端末
４１  情報登録部
４２  情報取得部
４３  通信部
４５  ユーザ情報記憶部
２０ａ，４０ａ，５０ａ，６０ａ  アクセスポイント
Ｒ１  自宅
Ｒ２  病院
Ｒ３  薬局
Ｒ４  介護施設
【図１】
2019191998.tif 000003
【図２】
2019191998.tif 000004
【図３】
2019191998.tif 000005
【図４】
2019191998.tif 000006
【図５】
2019191998.tif 000007